(57)【要約】【課題】意匠性が損なわれるのを抑制しながら、間仕切壁により仕切られた複数の屋内空間の間で通気を可能とする間仕切壁における通気構造を提供する。【解決手段】建物には廊下１１と居室１２とを仕切る間仕切壁１３が設けられている。間仕切壁１３は、廊下１１に面して設けられた壁パネル２１と、居室１２に面して設けられた壁パネル２２とを有し、これら各壁パネル２１，２２の間には壁内空間２３が形成されている。間仕切壁１３には、壁内空間２３と各壁パネル２１，２２の壁開口部２１ａ，２２ａとを通じて廊下１１と居室１２との間で空気を流通させるための通気路２５が形成されている。壁パネル２１には、廊下１１側から壁開口部２１ａ全体を覆う巾木部材２６が設けられている。巾木部材２６には、間仕切壁１３の通気路２５に通じるとともに、廊下１１に通じる内部通路３４が形成されている。内部通路３４は巾木部材２６の上面にて開口している。【選択図】      図２
2020176472.tif 000002
【特許請求の範囲】
【請求項１】
建物内の屋内空間として互いに隣り合う第１空間及び第２空間を仕切る間仕切壁を備え、
その間仕切壁は、前記第１空間に面して設けられた第１壁パネルと、前記第２空間に面して設けられた第２壁パネルとを有しており、
それら各壁パネルの間には壁内空間が形成され、
前記各壁パネルにはそれぞれ壁開口部が形成され、
前記間仕切壁には、前記壁内空間と前記各壁パネルの前記壁開口部とを通じて前記第１空間と前記第２空間との間で空気を流通させる通気路が形成されている間仕切壁における通気構造であって、
前記第１壁パネルには、前記壁開口部の全体を前記第１空間側から覆う覆い部材が設けられており、
前記覆い部材には、前記通気路に通じるとともに、前記第１空間に通じる通路が形成されており、
前記通路は、前記第１空間に開口する通路開口部が、前記間仕切壁の壁厚み方向とは異なる方向に向けて開口していることを特徴とする間仕切壁における通気構造。
【請求項２】
前記第１壁パネルの前記壁開口部は、当該第１壁パネルの下端側に形成され、
前記覆い部材は、前記第１壁パネルの下端部に沿って設けられる巾木部材であり、
その巾木部材に前記通路が形成されているとともに、その通路の前記通路開口部が前記巾木部材の上面において開口していることを特徴とする請求項１に記載の間仕切壁における通気構造。
【請求項３】
前記第１空間は廊下であり、前記第２空間は前記廊下に隣接する隣室であり、
前記間仕切壁は、前記廊下の突き当たりとなる位置に設けられ、
前記間仕切壁には、前記廊下から前記隣室への出入りを行うための出入口が形成され、その出入口にはドアが設けられており、
前記間仕切壁において前記廊下側の前記第１壁パネルに、前記通路が形成された前記巾木部材が設けられていることを特徴とする請求項２に記載の間仕切壁における通気構造。
【請求項４】
前記第１壁パネルには、前記覆い部材としての機器が取り付けられており、
前記機器には前記通路が形成されており、その通路の前記通路開口部は前記機器の上面、下面及び側面のうち少なくともいずれかにおいて開口されていることを特徴とする請求項１に記載の間仕切壁における通気構造。
【請求項５】
前記通路開口部として、前記覆い部材の上面にて開口する上側開口部と、前記覆い部材の下面にて開口する下側開口部とが設けられていることを特徴とする請求項１又は４に記載の間仕切壁における通気構造。
【発明の詳細な説明】
【技術分野】
【０００１】
本発明は、間仕切壁における通気構造に関する。
【背景技術】
【０００２】
住宅等の建物には、隣り合う部屋同士を仕切る間仕切壁が設けられている。間仕切壁は、互いに対向する一対の壁パネルを有し、それら各パネルの間には上下に延びる壁内空間が形成されている。
【０００３】
特許文献１には、間仕切壁により仕切られた各部屋の通気を可能とする間仕切壁の通気構造が開示されている。この通気構造では、各壁パネルにそれぞれ壁開口部が形成され、それら各壁開口部と壁内空間とを介して隣り合う各部屋が連通されている。そして、それら各壁開口部及び壁内空間を通じて各部屋の間で通気が可能とされている。
【０００４】
また、特許文献１の通気構造では、各壁パネルにそれぞれ天井付近で開口する天井側開口部と床付近で開口する床側開口部とが設けられている。天井側開口部はその全域が開口されており、床側開口部は巾木によってその一部が覆われている。したがって、床側開口部においては、巾木により覆われていない部分を通じて通気が行われることになる。
【先行技術文献】
【特許文献】
【０００５】
【特許文献１】特開２０１２−１４４８８１号公報
【発明の概要】
【発明が解決しようとする課題】
【０００６】
ところで、上記特許文献１の通気構造では、各壁パネルに設けられた天井側開口部及び床側開口部がいずれも間仕切壁の正面側から見えてしまうおそれがある。具体的には、天井側開口部については、その開口部全域が開口されているため、開口部全域が間仕切壁の正面側から見えてしまうおそれがある。また、床側開口部については巾木によって一部覆われているものの、覆われていない部分がやはり間仕切壁の正面側から見えてしまうおそれがある。このため、上記特許文献１の通気構造では、間仕切壁の意匠性が損なわれるおそれがあり、その点で改善の余地を有している。
【０００７】
本発明は、上記事情に鑑みてなされたものであり、意匠性が損なわれるのを抑制しながら、間仕切壁により仕切られた複数の屋内空間の間で通気を可能とする間仕切壁における通気構造を提供することを主たる目的とするものである。
【課題を解決するための手段】
【０００８】
上記課題を解決すべく、第１の発明の間仕切壁における通気構造は、建物内の屋内空間として互いに隣り合う第１空間及び第２空間を仕切る間仕切壁を備え、その間仕切壁は、前記第１空間に面して設けられた第１壁パネルと、前記第２空間に面して設けられた第２壁パネルとを有しており、それら各壁パネルの間には壁内空間が形成され、前記各壁パネルにはそれぞれ壁開口部が形成され、前記間仕切壁には、前記壁内空間と前記各壁パネルの前記壁開口部とを通じて前記第１空間と前記第２空間との間で空気を流通させる通気路が形成されている間仕切壁における通気構造であって、前記第１壁パネルには、前記壁開口部の全体を前記第１空間側から覆う覆い部材が設けられており、前記覆い部材には、前記通気路に通じるとともに、前記第１空間に通じる通路が形成されており、前記通路は、前記第１空間に開口する通路開口部が、前記間仕切壁の壁厚み方向とは異なる方向に向けて開口していることを特徴とする。
【０００９】
本発明によれば、第１空間と第２空間とが間仕切壁により仕切られている。間仕切壁は、第１空間に面した第１壁パネルと、第２空間に面した第２壁パネルとを有し、それら各壁パネルの間には壁内空間が形成されている。また、各壁パネルにはそれぞれ壁開口部が形成され、それにより、それら各壁開口部と壁内空間とを通って第１空間と第２空間との間で空気を流通させる通気路が形成されている。
【００１０】
このような構成にあって、本発明では、第１壁パネルにその壁開口部の全体を第１空間側から覆う覆い部材が設けられている。この場合、第１空間から壁開口部が見えない状態となっているため、壁開口部により意匠性が損なわれるのを防止することができる。また、この覆い部材には、通気路に通じるとともに、第１空間に通じる通路が形成されている。そのため、覆い部材により壁開口部を覆いながらも、間仕切壁の通気路と覆い部材の通路とを通じて第１空間と第２空間との間で空気を流通させることが可能となっている。また、この通路は、第１空間に向けて開口する通路開口部が、間仕切壁の壁厚み方向とは異なる方向に開口しているため、間仕切壁の正面側から通路開口部が見えにくくなっている。そのため、この通路開口部により意匠性が損なわれるのを抑制することができる。よって、以上より、意匠性が損なわれるのを抑制しながら、第１空間と第２空間との間で通気を行うことが可能となる。
【００１１】
また、通路開口部は間仕切壁の壁厚み方向と直交する方向に開口しているのが望ましい。その場合、間仕切壁の正面側から通路開口部をより見えにくくすることができるため、意匠性が損なわれるのをより一層抑制することができる。
【００１２】
なお、第１壁パネルに覆い部材を設けることに加え、第２壁パネルにも同様の覆い部材を設けるようにしてもよい。この場合、第１壁パネルに設けられる覆い部材は第１覆い部材とし、その第１覆い部材に形成される通路を第１通路とし、その第１通路において第１空間に開口する通路開口部を第１通路開口部とする。
【００１３】
また、第２壁パネルに設けられる覆い部材は第２覆い部材とし、その第２覆い部材には、間仕切壁の通気路に通じるとともに第２空間に通じる第２通路を形成する。そして、その第２通路において第２空間に開口する開口部を第２通路開口部とし、その第２通路開口部を間仕切壁の壁厚み方向とは異なる方向に向けて開口させるようにする。このような構成とすれば、第１空間及び第２空間の双方において意匠性が損なわれるのを抑制しながら、それら両空間の間で通気を行うことが可能となる。
【００１４】
第２の発明の間仕切壁における通気構造は、第１の発明において、前記第１壁パネルの前記壁開口部は、当該第１壁パネルの下端側に形成され、前記覆い部材は、前記第１壁パネルの下端部に沿って設けられる巾木部材であり、その巾木部材に前記通路が形成されているとともに、その通路の前記通路開口部が前記巾木部材の上面において開口していることを特徴とする。
【００１５】
本発明によれば、第１壁パネルの壁開口部が当該第１壁パネルの下端側に形成され、その壁開口部の全体が巾木部材（覆い部材に相当）により覆われている。そして、この巾木部材に通路が形成され、その通路の通路開口部が巾木部材の上面にて開口している。この場合、通常、間仕切壁に設けられている巾木部材を用いて覆い部材が構成されているため、間仕切壁の外観に大きな影響を与えるのを回避しながら、上記第１の発明の効果を得ることができる。
【００１６】
また、間仕切壁の下端部に設けられた巾木部材に通路開口部が設けられているため、その点でも通路開口部を目立ちにくくすることができる。このため、通路開口部により意匠性が損なわれるのをより一層抑制することができる。
【００１７】
第３の発明の間仕切壁における通気構造は、第２の発明において、前記第１空間は廊下であり、前記第２空間は前記廊下に隣接する隣室であり、前記間仕切壁は、前記廊下の突き当たりとなる位置に設けられ、前記間仕切壁には、前記廊下から前記隣室への出入りを行うための出入口が形成され、その出入口にはドアが設けられており、前記間仕切壁において前記廊下側の前記第１壁パネルに、前記通路が形成された前記巾木部材が設けられていることを特徴とする。
【００１８】
本発明によれば、廊下とその隣室とが間仕切壁により仕切られており、その間仕切壁は廊下の突き当たりとなる位置に設けられている。この間仕切壁には出入口が形成され、その出入口にはドアが設けられている。こうした構成では、間仕切壁において廊下と隣室とを通気可能にするにあたり、間仕切壁におけるドア上方に通気ガラリ等の通気用部材を設ける必要があると考えられる。しかしながら、その場合、ドアの高さを低くしなければならない等、ドア高さに制約が生じるおそれがある。
【００１９】
この点本発明では、間仕切壁において廊下側の第１壁パネルに、通路が形成された巾木部材が設けられているため、その巾木部材の通路を通じて第１空間と第２空間との間で通気を行わせることができる。これにより、ドア上方に通気用部材を設ける必要がないため、ドア高さの制約が生じる等の問題を回避しながら、間仕切壁において廊下と隣室との間の通気を行うことが可能となる。
【００２０】
第４の発明の間仕切壁における通気構造は、第１の発明において、前記第１壁パネルには、前記覆い部材としての機器が取り付けられており、前記機器には前記通路が形成されており、その通路の前記通路開口部は前記機器の上面、下面及び側面のうち少なくともいずれかにおいて開口されていることを特徴とする。
【００２１】
一般に、間仕切壁には、コンセントやスイッチ等の機器類が取り付けられる。かかる機器には配線が接続されており、その配線は間仕切壁の壁内空間を通じて配設される。このため、かかる機器が間仕切壁の壁パネルに取り付けられる場合には、壁パネルに壁開口部が形成され、その壁開口部を覆うように機器が取り付けられる。そして、その壁開口部を通じて機器の配線が間仕切壁内に導かれる。
【００２２】
そこで、本発明では、こうした壁付けの機器に着目し、その機器に通路を形成し、その通路の通路開口部を機器の上面、下面及び各側面のうち少なくともいずれかにて開口させるようにしている。この場合にも、通常、間仕切壁に設けられる機器類を覆い部材として用いることができるため、間仕切壁周辺の外観に大きな影響を与えることなく、上記第１の発明の効果を得ることができる。
【００２３】
第５の発明の間仕切壁における通気構造は、第１又は第４の発明において、前記通路開口部として、前記覆い部材の上面にて開口する上側開口部と、前記覆い部材の下面にて開口する下側開口部とが設けられていることを特徴とする。
【００２４】
本発明によれば、通路開口部として、上向きに開口する上側開口部と下向きに開口する下側開口部とが設けられているため、覆い部材の通路を通じて流れる空気が暖気（軽い空気）か冷気（重い空気）かにかかわらず、当該通路を通じて好適に空気を流通させることができる。
【図面の簡単な説明】
【００２５】
【図１】（ａ）が第１の実施形態における間仕切壁を廊下側から見た正面図であり、（ｂ）がその間仕切壁周辺の構成を示す縦断面図である。
【図２】間仕切壁における通気構造を拡大して示す縦断面図。
【図３】巾木部材を示す斜視図。
【図４】（ａ）が第２の実施形態における間仕切壁を居室側から見た正面図であり、（ｂ）がその間仕切壁周辺の構成を示す縦断面図である。
【図５】間仕切壁における通気構造を拡大して示す縦断面図。
【図６】（ａ）が第３の実施形態における間仕切壁を居室側から見た正面図であり、（ｂ）がその間仕切壁周辺の構成を示す縦断面図である。
【図７】間仕切壁における通気構造を拡大して示す縦断面図。
【図８】他の実施形態における間仕切壁の通気構造を拡大して示す縦断面図。
【図９】巾木部材を示す斜視図。
【発明を実施するための形態】
【００２６】
〔第１の実施形態〕
以下に、本発明を具体化した一実施の形態について図面を参照しつつ説明する。本実施形態の建物には、廊下と居室とを仕切る間仕切壁が設けられている。以下、この間仕切壁周辺の構成について図１に基づいて説明する。図１は（ａ）が間仕切壁を廊下側から見た正面図であり、（ｂ）が間仕切壁周辺の構成を示す縦断面図である。なお、図１（ｂ）は図１（ａ）のＡ−Ａ線断面図に相当する。
【００２７】
図１（ａ）及び（ｂ）に示すように、住宅等の建物には、廊下１１と居室１２とが互いに隣接して設けられているとともに、廊下１１と居室１２とを仕切る間仕切壁１３が設けられている。廊下１１は、居室１２に向かって延びており、その突き当たりとなる位置で廊下１１と居室１２とが間仕切壁１３により仕切られている。この場合、廊下１１を挟んで対向する各壁部１５は間仕切壁１３と直交して配置されている。なお、廊下１１が第１空間に相当し、居室１２が第２空間及び隣室に相当する。
【００２８】
間仕切壁１３には、廊下１１から居室１２へ出入りするための出入口１６が設けられている。この出入口１６には開き戸からなるドア１７が設けられている。この場合、間仕切壁１３において出入口１６の横隣りに配置される縦長の壁部分は袖壁部１３ａともいう。
【００２９】
間仕切壁１３は、対向する一対の壁パネル２１，２２を有している。これら各壁パネル２１，２２は例えば石膏ボードを含んで構成され、互いに離間して配置されている。これにより、各壁パネル２１，２２の間には、上下方向に延びる壁内空間２３が形成されている。図示は省略するが、間仕切壁１３は、各壁パネル２１，２２の間に壁下地材を有し、その壁下地材により各壁パネル２１，２２が支持されている。また、各壁パネル２１，２２のうち、壁パネル２１は廊下１１に面して設けられ、壁パネル２２は居室１２に面して設けられている。この場合、壁パネル２１が第１壁パネルに相当し、壁パネル２２が第２壁パネルに相当する。
【００３０】
ここで、本建物１０では、間仕切壁１３において廊下１１と居室１２との間の通気を可能とする通気構造が設けられている。そこで、以下においては、その間仕切壁１３における通気構造について図２を用いながら説明する。なお、図２は、間仕切壁１３における通気構造を拡大して示す縦断面図である。
【００３１】
また、図示は省略するが、本建物１０には、共通の空調装置を用いて複数の屋内空間（以下、空調対象空間という）の空調を行う全館式の空調設備が設けられている。ここで、間仕切壁１３の通気構造の説明を行うのに先立ち、この空調設備について簡単に説明すると、当該空調設備では、空調装置により空調空気（冷気又は暖気）が生成され、その生成された空調空気が空調装置より空調ダクトを通じて各空調対象空間に供給されるようになっている。そして、それら供給された空調空気により各空調対象空間の空調（冷暖房）が行われるようになっている。各空調対象空間に供給された空調空気は、その後、建物内を流れて空調装置へと戻り（還流し）、その戻った空調空気をもとに空調装置により空調空気が再度生成されるようになっている。このように、本空調設備は、空気循環式の全館空調設備とされている。
【００３２】
このような空調設備を有する本建物では、空調設備による空調対象空間に居室１２が含まれている。この場合、居室１２に供給された空調空気は、居室１２から廊下１１へと流れ、その後空調装置へ戻るようになっている。そして、本建物では、居室１２から廊下１１へ空調空気を流すために間仕切壁１３における通気構造を用いており、以下においては、その通気構造について説明する。
【００３３】
図２に示すように、間仕切壁１３の各壁パネル２１，２２にはそれぞれ壁開口部２１ａ，２２ａが形成されている。壁開口部２１ａは、壁パネル２１の下端側に形成され、間仕切壁１３の壁内空間２３と廊下１１とを連通している。また、壁開口部２２ａは、壁パネル２２の下端側に形成され、壁内空間２３と居室１２とを連通している。これら各壁開口部２１ａ，２２ａは壁内空間２３を挟んで互いに対向している。
【００３４】
間仕切壁１３には、各壁開口部２１ａ，２２ａと壁内空間２３とを通じて廊下１１と居室１２との間で通気を行わせる通気路２５が形成されている。この場合、この通気路２５を通じて廊下１１と居室１２とが通気可能に連通されている。なお、図２では、その通気路２５を通じて流れる空気の流れを矢印線にて示している。また、図２では便宜上、その矢印線に対して通気路２５の符号を付している。
【００３５】
間仕切壁１３の各壁パネル２１，２２には、その下端部に沿って巾木部材２６，２７が設けられている。各巾木部材２６，２７のうち、巾木部材２６は壁パネル２１の下端部に沿って設けられ、壁パネル２１と床面との境界部を覆い隠している。また、巾木部材２７は、壁パネル２２の下端部に沿って設けられ、壁パネル２２と床面との境界部を覆い隠している。これら各巾木部材２６，２７は、例えば接着剤等を用いて壁パネル２１，２２に取り付けられている。また、各巾木部材２６，２７は、間仕切壁１３の袖壁部１３ａに設けられている。
【００３６】
ここで、本実施形態では、これら巾木部材２６，２７に関する構成に特徴を有している。そこで以下においては、その特徴的な構成について図２に加え図３を参照しながら説明する。図３は、壁パネル２１側の巾木部材２６の構成を示す斜視図である。
【００３７】
図２に示すように、壁パネル２１側（廊下１１側）の巾木部材２６は、壁パネル２１の壁開口部２１ａを廊下１１側から覆うように設けられており、詳しくは壁開口部２１ａの全体を覆うように設けられている。巾木部材２６は、全体として壁パネル２１の下端部に沿って（換言すると壁パネル２１の壁幅方向に）延びる四角筒状に形成されている。巾木部材２６は、例えば木製の板材を組み合わせることにより形成されている。なお、巾木部材２６が覆い部材及び第１覆い部材に相当する。
【００３８】
巾木部材２６には、図２及び図３に示すように、その長手方向に延びる中空部３１が形成されている。巾木部材２６は、その中空部３１を挟んで間仕切壁１３の厚み方向（換言すると前後方向）に対向する前板部２６ａ及び後板部２６ｂと、中空部３１を挟んで上下方向に対向する上板部２６ｃ及び下板部２６ｄとを有する。前板部２６ａ及び後板部２６ｂは上下方向に延びており、上板部２６ｃ及び下板部２６ｄは間仕切壁１３の厚み方向に延びている。なお、図示は省略するが、巾木部材２６の長手方向の両端部にはそれぞれ中空部３１の開口を塞ぐ蓋部が設けられている。但し、これらの蓋部は必ずしも巾木部材２６に設けられている必要はない。
【００３９】
巾木部材２６は、その下板部２６ｄが床面上に載置された状態で、その後板部２６ｂが壁パネル２１に対して取り付けられている。後板部２６ｂには、壁パネル２１の壁開口部２１ａに連通する開口部３２が形成されている。この場合、この開口部３２を介して巾木部材２６の中空部３１と間仕切壁１３の通気路２５とが互いに連通されている。また、上板部２６ｃには、中空部３１と廊下１１とを連通する開口部３３が形成されている。
【００４０】
巾木部材２６には、中空部３１と各開口部３２，３３とにより内部通路３４が形成されている。内部通路３４は、間仕切壁１３の通気路２５に通じているとともに、廊下１１に通じている。内部通路３４は、空気の流れる通気路となっており、図２では、その内部通路３４を通じて流れる空気の流れを矢印線にて示している。また、図２では便宜上、その矢印線に対して内部通路３４の符号を付している。内部通路３４においては、開口部３３が廊下１１に開口する開口部となっている。この開口部３３は、巾木部材２６の上面において廊下１１に開口している。詳しくは、開口部３３は、巾木部材２６において上板部２６ｃにのみ形成され、前板部２６ａや下板部２６ｄ等、他の板部には形成されていない。したがって、開口部３３は、巾木部材２６の上面においてのみ開口している。なお、内部通路３４が特許請求の範囲に記載の「通路」及び「第１通路」に相当する。また、開口部３３が「通路開口部」及び「第１通路開口部」に相当する。
【００４１】
続いて、壁パネル２２側（居室１２側）の巾木部材２７について説明する。巾木部材２７は、壁パネル２１側の巾木部材２６と基本的に同様の構成を有している。そのため、巾木部材２７についてはその説明を簡略化して行う。巾木部材２７は、間仕切壁１３の厚み方向において巾木部材２６と対称となる構成を有している。すなわち、巾木部材２７は、巾木部材２６と同様、その長手方向に延びる中空部３６を有するとともに、前板部２７ａ、後板部２７ｂ、上板部２７ｃ及び下板部２７ｄを有している。巾木部材２７は、その下板部２７ｄが床面上に載置された状態で、その後板部２７ｂが壁パネル２２に対して取り付けられている。この場合、巾木部材２７は、壁パネル２２の壁開口部２２ａ全体を居室１２側から覆うように設けられている。また、巾木部材２７は、居室１２において間仕切壁１３を挟んで巾木部材２６と対向する位置に配置されている。なお、居室１２には、巾木部材２７と連続させて他の巾木（内部通路が形成されていない通常の巾木）が設けられている。また、巾木部材２７が第２覆い部材に相当する。
【００４２】
巾木部材２７には、その後板部２７ｂに壁開口部２２ａと連通する開口部３７が形成されている。この場合、この開口部３７を介して巾木部材２７の中空部３６と間仕切壁１３の通気路２５とが連通されている。また、上板部２７ｃには中空部３６と居室１２とを連通する開口部３８が形成されている。
【００４３】
巾木部材２７には、中空部３６と各開口部３７，３８とにより内部通路３９が形成されている。内部通路３９は、間仕切壁１３の通気路２５に通じているとともに、居室１２に通じている。内部通路３９は、空気の流れる通気路となっており、図２では、その内部通路３９を通じて流れる空気の流れを矢印線にて示している。また、図２では便宜上、その矢印線に対して内部通路３９の符号を付している。内部通路３９においては開口部３８が居室１２に開口する開口部となっている。この開口部３８は、巾木部材２７の上面において居室１２に開口している。なお、内部通路３９が第２通路に相当し、開口部３８が第２通路開口部に相当する。
【００４４】
上述した間仕切壁１３における通気構造によれば、空調装置より居室１２に供給された空調空気が巾木部材２７の開口部３８より内部通路３９に流れ込み、その後、内部通路３９から間仕切壁１３の通気路２５を経由して巾木部材２６の内部通路３４に流れ込む。そして、その流れ込んだ空気は内部通路３４の開口部３３より廊下１１に流れ込む。このようにして、本通気構造では、居室１２の空気（空調空気）が各巾木部材２６，２７の内部通路３４，３９と間仕切壁１３の通気路２５とを通じて廊下１１へと流れるようになっている。
【００４５】
以上、詳述した本実施形態の構成によれば、以下の優れた効果が得られる。
【００４６】
間仕切壁１３の各壁パネル２１，２２にそれぞれ巾木部材２６，２７を壁開口部２１ａ，２２ａの全体を覆うようにして設けた。この場合、廊下１１から壁開口部２１ａが見えない状態とされているとともに、居室１２から壁開口部２２ａが見えない状態とされているため、壁開口部２１ａ，２２ａにより意匠性が損なわれるのを防止することができる。
【００４７】
また、巾木部材２６の内部通路３４において廊下１１に開口する開口部３３を巾木部材２６の上面において開口させるとともに、巾木部材２７の内部通路３９において居室１２に開口する開口部３８を巾木部材２７の上面において開口させた。この場合、これら各開口部３３，３８は間仕切壁１３の正面側から見えにくくなっているため、これらの開口部３３，３８により意匠性が損なわれるのを抑制することができる。よって、この場合、意匠性が損なわれるのを抑制しながら、上述したように廊下１１と居室１２との間で通気を行うことが可能となる。
【００４８】
間仕切壁に通常設けられる巾木部材２６，２７を用いて壁開口部２１ａ，２２ａを覆うとともにその巾木部材２６，２７に内部通路３４，３９を形成したため、間仕切壁１３の外観に大きな影響を与えるのを回避しながら、上述した効果を得ることができる。
【００４９】
また、間仕切壁１３の下端部に設けられる巾木部材２６，２７に開口部３３．３８が設けられているため、開口部３３，３８をより目立ちにくくすることができる。このため、開口部３３，３８により意匠性が損なわれるのをより一層抑制することができる。
【００５０】
廊下１１の突き当たりとなる位置で廊下１１と居室１２とを仕切る間仕切壁１３に出入口１６を形成し、その出入口１６にドア１７を設けた。そして、こうした構成において、間仕切壁１３の各壁パネル２１，２２にそれぞれ巾木部材２６，２７を設けた。この場合、巾木部材２６，２７の内部通路３４，３９を通じて廊下１１と居室１２との間で通気を行うことができるため、ドア１７上方に通気用部材を設ける必要がなく、その結果、ドア１７高さの制約が生じる等の問題を回避しながら、間仕切壁１３において廊下１１と居室１２との間の通気を行うことが可能となる。
【００５１】
〔第２の実施形態〕
続いて、第２の実施形態について説明する。以下、本実施形態における間仕切壁の通気構造について図４及び図５に基づいて説明する。図４は（ａ）が間仕切壁を居室側から見た正面図であり、（ｂ）が間仕切壁周辺の構成を示す縦断面図である。なお、図４（ｂ）は図４（ａ）のＢ−Ｂ線断面図に相当する。また、図５は、間仕切壁における通気構造を拡大して示す縦断面図である。なお、以下の説明では、上記第１の実施形態と同様の構成については、その説明を適宜簡略化したり省略したりする。
【００５２】
図４（ａ）及び（ｂ）に示すように、本実施形態では、住宅等の建物に、居室４１と廊下４２とが隣接して設けられているとともに、居室４１と廊下４２とを仕切る間仕切壁４３が設けられている。本実施形態では、間仕切壁４３が廊下４２と同じ方向に延びており、その廊下４２の側面を規定している。なお、本実施形態では、居室４１が第１空間に相当し、廊下４２が第２空間に相当する。
【００５３】
間仕切壁４３は、互いに対向する一対の壁パネル４５，４６を有しており、それら各壁パネル４５，４６の間には上下方向に延びる壁内空間４７が形成されている。各壁パネル４５，４６のうち、壁パネル４５は居室４１に面して設けられ、壁パネル４６は廊下４２に面して設けられている。なお、壁パネル４５が第１壁パネルに相当し、壁パネル４６が第２壁パネルに相当する。
【００５４】
図５に示すように、各壁パネル４５，４６にはそれぞれ壁開口部４５ａ，４６ａが形成されている。それら各壁開口部４５ａ，４６ａのうち、壁開口部４６ａは、上記第１の実施形態と同様、壁パネル４６の下端側に形成されている。その一方、壁開口部４５ａは、壁パネル４５において壁開口部４６ａよりも高い位置に形成されている。
【００５５】
間仕切壁４３には、各壁開口部４５ａ，４６ａと壁内空間４７とを通じて居室４１と廊下４２との間で通気を行わせる通気路４８が形成されている。この場合、この通気路４８を通じて居室４１と廊下４２とが通気可能に連通されている。なお、図５では、その通気路４８を通じて流れる空気の流れを矢印線にて示している。また、図５では便宜上、その矢印線に対して通気路４８の符号を付している。
【００５６】
間仕切壁４３において廊下４２側の壁パネル４６には、その下端部に沿って巾木部材２７が設けられている。この巾木部材２７は、上記第１の実施形態における巾木部材２７（壁パネル２２の巾木部材２７）と同様の構成を有している。そのため、ここでは、その巾木部材２７と同じ符号２７を付してその詳細な説明を割愛する。
【００５７】
巾木部材２７は、壁パネル４６の壁開口部４６ａ全体を廊下４２側から覆うように設けられている。また、巾木部材２７には、間仕切壁４３の通気路４８に通じているとともに、廊下４２に通じている内部通路３９が形成されている。内部通路３９は、その廊下４２に開口する開口部３８が巾木部材２７の上面にて開口している。なお、巾木部材２７が第２覆い部材に相当し、内部通路３９が第２通路に相当し、開口部３８が第２通路開口部に相当する。
【００５８】
間仕切壁４３において居室４１側の壁パネル４５には、配線器具としてのコンセント５１が設けられている。コンセント５１は、壁パネル４５の壁開口部４５ａを覆うように当該壁パネル４５に取り付けられている。詳しくは、コンセント５１は、壁開口部４５ａ全体を居室４１側から覆うように取り付けられている。なお、コンセント５１が覆い部材（第１覆い部材）及び機器に相当する。
【００５９】
コンセント５１は、壁開口部４５ａに嵌め込まれて取り付けられる取付部５１ａと、壁パネル４５の表面側に設けられ差し込み口を有する本体部５１ｂとを有する。コンセント５１には、取付部５１ａと本体部５１ｂとに跨がって内部通路５３が形成されている。内部通路５３は、間仕切壁４３の通気路４８に通じているとともに居室４１に通じている。内部通路５３は、空気の流れる通気路となっており、図５では、内部通路５３を通じて流れる空気の流れを矢印線にて示している。また、図５では便宜上、その矢印線に対して内部通路５３の符号を付している。
【００６０】
内部通路５３は、通気路４８に向けて開口する開口部５５と、居室４１に向けて開口する開口部５６とを有している。開口部５５は、コンセント５１の取付部５１ａに形成され、通気路４８の壁開口部４５ａと連通している。また、開口部５６は、コンセント５１の本体部５１ｂに形成されている。本体部５１ｂには、開口部５６として、本体部５１ｂの上面にて開口する上側開口部５６ａと、本体部５１ｂの下面にて開口する下側開口部５６ｂとが形成されている。より詳しくは、本体部５１ｂには、開口部５６として、上側開口部５６ａ及び下側開口部５６ｂのみ形成されている。なお、内部通路５３が特許請求の範囲に記載の「通路」及び「第１通路」に相当する。また、各開口部５６ａ，５６ｂがそれぞれ「通路開口部」及び「第１通路開口部」に相当する。
【００６１】
上述した間仕切壁４３における通気構造によれば、空調装置より居室４１に供給された空調空気がコンセント５１の各開口部５６ａ，５６ｂより当該コンセント５１の内部通路５３に流れ込み、その後、内部通路５３から間仕切壁４３の通気路４８を経由して巾木部材２７の内部通路３９に流れ込む。そして、その流れ込んだ空気は内部通路３９の開口部３８より廊下４２に流れ込む。このように、本通気構造では、居室４１の空気（空調空気）がコンセント５１の内部通路５３と間仕切壁４３の通気路４８と巾木部材２７の内部通路３９とを通じて廊下４２へ流れ込むようになっている。
【００６２】
以上、詳述した本実施形態の構成によれば、以下の優れた効果が得られる。
【００６３】
間仕切壁４３の壁パネル４５にその壁開口部４５ａの全体を覆うようにコンセント５１を取り付け、そのコンセント５１に内部通路５３を形成した。そして、内部通路５３において居室４１に開口する開口部５６をコンセント５１の上面及び下面にてそれぞれ開口するよう形成した。この場合、各開口部５６は間仕切壁１３の正面側から見えにくくなっているため、これらの開口部５６により意匠性が損なわれるのを抑制することができる。よって、意匠性が損なわれるのを抑制しながら、上述したように居室４１と廊下４２との間で通気を行うことが可能となる。
【００６４】
一般に間仕切壁に設けられるコンセント５１を用いて壁開口部４５ａを覆うとともにそのコンセント５１に内部通路５３を形成した。この場合、間仕切壁４３の外観に大きな影響を与えるのを回避しながら、上述した効果を得ることができる。
【００６５】
開口部５６として、コンセント５１の上面にて上向きに開口する上側開口部５６ａと、コンセント５１の下面にて下向きに開口する下側開口部５６ｂとが設けられているため、コンセント５１の内部通路５３を通じて流れる空気が暖気（軽い空気）か冷気（重い空気）かにかかわらず、当該内部通路５３を通じて好適に空気を流通させることができる。
【００６６】
〔第３の実施形態〕
次に、第３の実施形態について説明する。以下、本実施形態における間仕切壁の通気構造について図６及び図７に基づいて説明する。図６は（ａ）が間仕切壁を居室側から見た正面図であり、（ｂ）が間仕切壁周辺の構成を示す縦断面図である。なお、図６（ｂ）は図６（ａ）のＣ−Ｃ線断面図に相当する。また、図７は、間仕切壁における通気構造を拡大して示す縦断面図である。なお、以下の説明では、上記第２の実施形態と同様の構成については、同じ符号を付してその説明を省略する。
【００６７】
図６（ａ）及び（ｂ）に示すように、本実施形態では、上記第２の実施形態における間仕切壁４３において、居室４１側の壁パネル４５にコンセント５１に代えて、モニタ６１が設けられている。本実施形態では、その点において上記第２の実施形態と構成が相違しており、以下においてはその相違点に関する構成について説明する。
【００６８】
図７に示すように、間仕切壁４３において居室４１側の壁パネル４５には、壁開口部４５ｂが形成されている。壁開口部４５ｂは、壁パネル４５の高さ方向の略中央部に形成されている。
【００６９】
間仕切壁４３には、各壁開口部４５ｂ，４６ａと壁内空間４７とを通じて居室４１と廊下４２との間で通気を行わせる通気路６２が形成されている。この場合、この通気路６２を通じて居室４１と廊下４２とが通気可能に連通されている。なお、図７では、その通気路６２を通じて流れる空気の流れを矢印線にて示している。また、図７では便宜上、その矢印線に対して通気路６２の符号を付している。
【００７０】
間仕切壁４３において居室４１側の壁パネル４５には、機器としてのモニタ６１が設けられている。モニタ６１は、例えば訪問者確認用のモニタであり、ディスプレイ部を有している。モニタ６１は、壁パネル４５の壁開口部４５ｂ全体を居室４１側から覆うように当該壁パネル４５に取り付けられている。なお、モニタ６１が覆い部材及び第１覆い部材に相当する。
【００７１】
モニタ６１は、壁開口部４５ｂに嵌め込まれて取り付けられる取付部６１ａと、壁パネル４５の表面側に設けられディスプレイ部を有する本体部６１ｂとを有する。モニタ６１には、取付部６１ａと本体部６１ｂとに跨がって内部通路６３が形成されている。内部通路６３は、間仕切壁４３の通気路６２に通じているとともに居室４１に通じている。内部通路６３は、空気の流れる通気路となっており、図７では、内部通路６３を通じて流れる空気の流れを矢印線にて示している。また、図７では便宜上、その矢印線に対して内部通路６３の符号を付している。
【００７２】
内部通路６３は、通気路６２に向けて開口する開口部６５と、居室４１に向けて開口する開口部６６とを有している。開口部６５は、モニタ６１の取付部６１ａに形成され、通気路６２の壁開口部４５ｂと連通している。また、開口部６６は、モニタ６１の本体部６１ｂに形成されている。本体部６１ｂには、開口部６６として、本体部６１ｂの上面にて開口する上側開口部６６ａと、本体部６１ｂの下面にて開口する下側開口部６６ｂとが形成されている。なお、内部通路６３が特許請求の範囲に記載の「通路」及び「第１通路」に相当する。また、各開口部６６ａ，６６ｂがそれぞれ「通路開口部」及び「第１通路開口部」に相当する。
【００７３】
上述した間仕切壁４３における通気構造では、空調装置より居室４１に供給された空調空気がモニタ６１の各開口部６６ａ，６６ｂより当該モニタ６１の内部通路６３に流れ込み、その後、内部通路６３から間仕切壁４３の通気路６２を経由して巾木部材２７の内部通路３９に流れ込む。そして、その流れ込んだ空気は内部通路３９の開口部３８より廊下４２に流れ込む。このように、本通気構造では、居室４１の空気（空調空気）がモニタ６１の内部通路６３と間仕切壁４３の通気路６２と巾木部材２７の内部通路３９とを通じて廊下４２へ流れ込むようになっている。
【００７４】
上述した本実施形態の構成によれば、モニタ６１を用いて第２の実施形態と同様の効果を得ることができる。
【００７５】
〔他の実施形態〕
本発明は上記実施形態に限らず、例えば次のように実施されてもよい。
【００７６】
・上記各実施形態では、壁開口部を覆う覆い部材をそれぞれ、巾木部材２６，２７、コンセント５１及びモニタ６１としたが、覆い部材は必ずしもこれらの部材である必要はない。例えば、覆い部材として、照明をＯＮ／ＯＦＦ操作するためのスイッチやリモコン等の（壁付け）機器を用いてもよい。また、覆い部材を、開口部を覆う専用部材として形成してもよい。
【００７７】
・上記第１の実施形態では、間仕切壁１３の各壁パネル２１，２２にそれぞれ内部通路３４，３９付きの巾木部材２６，２７を設けたが、各壁パネル２１，２２のうちいずれかの壁パネルにのみかかる巾木部材を設けるようにしてもよい。例えば、廊下１１側の壁パネル２１にのみ巾木部材２６を設けることが考えられる。この場合、居室１２側では壁開口部２２ａが開放された状態とされるものの、廊下１１側では巾木部材２６により壁開口部２１ａ全体が覆われた状態とされる。そのため、廊下１１において意匠性が損なわれるのを抑制しながら、廊下１１と居室１２との間の通気を行うことが可能となる。また、これと同様のことは、上記第２の実施形態や第３の実施形態においても適用が可能である。
【００７８】
・上記第１の実施形態において、巾木部材２６，２７の構成を変更してもよい。図８及び図９には巾木部材の別形態を示す。以下、これら図８及び図９に基づいて、巾木部材の別形態について説明する。
【００７９】
図８に示すように、間仕切壁１３において壁パネル２１には、その下端部に沿って巾木部材７１が設けられている。巾木部材７１は、所定の厚みを有する木製の板材により形成され、壁開口部２１ａの全体を廊下１１側から覆うように設けられている。図８及び図９に示すように、巾木部材７１には、その裏面側に凹部７３が形成されている。この凹部７３は、巾木部材７１の裏面と上面とにおいてそれぞれ開口するように形成されている。巾木部材７１において、凹部７３の底面は巾木部材７１の裏面側から表面側に向けて上方に傾斜する傾斜面とされている。
【００８０】
巾木部材７１において、凹部７３は壁パネル２１の壁開口部２１ａに通じている。この場合、この凹部７３により、巾木部材７１の内部通路７４（通路及び第１通路に相当）が形成されている。この内部通路７４は、間仕切壁１３の通気路２５に通じているとともに、廊下１１に通じている。また、内部通路７４において、廊下１１に開口する開口部７５は巾木部材７１の上面において開口している。
【００８１】
かかる構成においても、開口部７５が間仕切壁１３の正面側から見えにくくなっているため、意匠性が損なわれるのを抑制しながら廊下１１と居室１２との間で通気を行うことが可能となる。また、巾木部材７１に設けた凹部７３により内部通路７４を形成することで、巾木部材７１の厚みを比較的小さくすることができ、その点においても意匠性が損なわれるのを抑制することができる。
【００８２】
また、図８及び図９の例では、これと同様に、間仕切壁１３の壁パネル２２に巾木部材７６が設けられている。この巾木部材７６は、上記巾木部材７１と基本的に同様の構成を有しており、間仕切壁１３の厚み方向において巾木部材７１と対称となる構成を有している。つまり、巾木部材７６の裏面側には凹部７８が形成され、その凹部７８により間仕切壁１３の通気路２５と居室１２とを連通する内部通路７９が形成されている。そして、この内部通路７９において、居室１２に開口する開口部８１が巾木部材７６の上面にて開口している。
【００８３】
・上記第２の実施形態では、コンセント５１の内部通路５３において居室４１に開口する開口部５６として、本体部５１ｂの上面にて開口する上側開口部５６ａと、本体部５１ｂの下面にて開口する下側開口部５６ｂとを設けたが、これら各開口部５６ａ，５６ｂのうちいずれか一方の開口部だけ設けるようにしてもよい。
【００８４】
また、開口部５６として、本体部５１ｂの側面にて開口する側方開口部を設けてもよい。この場合にも、開口部は間仕切壁４３の厚み方向と直交する方向を向いて開口するため、開口部を間仕切壁４３の正面側から見えにくくすることができ、意匠性が損なわれるのを抑制することができる。なお、上記の内容は、上記第３の実施形態においてもそのまま適用することができる。
【００８５】
・上記各実施形態では、間仕切壁１３，４３における通気構造を用いて空調用の空気を廊下１１，４２と居室１２，４１との間で流通させるようにしたが、例えば換気用の空気を上記通気構造を用いて流通させるようにしてもよい。
【００８６】
・上記各実施形態ではいずれも、廊下１１，４２と居室１２，４１とを仕切る間仕切壁１３，４３に本発明の通気構造を適用したが、隣り合う居室同士を仕切る間仕切壁等、他の間仕切壁に本発明の通気構造を適用してもよい。
【符号の説明】
【００８７】
１１…第１空間としての廊下、１２…第２空間及び隣室としての居室、１３…間仕切壁、１６…出入口、１７…ドア、２１…第１壁パネルとしての壁パネル、２１ａ…壁開口部、２２…第２壁パネルとしての壁パネル、２２ａ…壁開口部、２３…壁内空間、２６…覆い部材としての巾木部材、２７…巾木部材、３３…通路開口部としての開口部、３４…通路としての内部通路、４１…第１空間としての居室、４２…第２空間としての廊下、４３…間仕切壁、４５…第１壁パネルとしての壁パネル、４５ａ…壁開口部、４５ｂ…壁開口部、４６…第２壁パネルとしての壁パネル、４６ａ…壁開口部、４７…壁内空間、５１…覆い部材及び機器としてのコンセント、５３…通路としての内部通路、５６…通路開口部としての開口部、６１…覆い部材及び機器としてのモニタ、６３…通路としての内部通路、６６…通路開口部としての開口部。
【図１】
2020176472.tif 000003
【図２】
2020176472.tif 000004
【図３】
2020176472.tif 000005
【図４】
2020176472.tif 000006
【図５】
2020176472.tif 000007
【図６】
2020176472.tif 000008
【図７】
2020176472.tif 000009
【図８】
2020176472.tif 000010
【図９】
2020176472.tif 000011